(57)【要約】【課題】任意の位置にある外部情報記憶媒体の情報の読み取りまたは書き込みを確実に行い、かつ消費電力を抑えること。【解決手段】所定の電波を介して外部情報記憶媒体Ｍに対する情報読取処理または情報書込処理を行う情報端末装置１０であって、情報端末装置１０と外部情報記憶媒体Ｍとの間の距離を測定する測距部１２と、この距離と電波の出力の最適値とを関係付けた参照テーブル１３ａと、測距部１２が測定した距離と参照テーブル１３ａとの内容をもとに電波の出力の最適値を決定する制御部１４とを備える。【選択図】        図１
2005328452.tif 000002
【特許請求の範囲】
【請求項１】
所定の電波を介して外部情報記憶媒体に対する情報読取処理または情報書込処理を行う情報端末装置において、
前記情報端末装置と前記外部情報記憶媒体との間の距離を測定する測距手段と、
前記距離と前記所定の電波の出力の最適値とを関係付けた参照テーブルと、
前記測距手段が測定した距離情報と前記参照テーブルの内容とをもとに前記所定の電波の出力の最適値を決定する制御を行う制御手段と、
を備えたことを特徴とする情報端末装置。
【請求項２】
前記制御手段は、前記測距手段が測定した距離情報と前記参照テーブルの内容とをもとに決定した前記電波の出力の最適値を用いて行った前記外部情報記憶媒体に対する情報読取処理または情報書込処理に失敗した場合、前記電波の出力を補正することを特徴とする請求項１に記載の情報端末装置。
【請求項３】
前記所定の電波を送信するアンテナと前記測距手段とが搭載され、前記アンテナの通信方向と前記測距手段の測距方向とがほぼ同一方向に指向され、当該情報端末装置本体に対して回動可能な回動部を設けたことを特徴とする請求項１または２に記載の情報端末装置。
【請求項４】
前記制御手段は、前記情報読取処理または前記情報書込処理の開始指示が所定時間以内に再度行われた場合、前回の前記電波の出力と同じ出力で前記情報読取処理または前記情報書込処理を行うことを特徴とする請求項１〜３のいずれか一つに記載の情報端末装置。
【請求項５】
光学情報記録媒体の情報を光学的に読み取る光学情報読取手段を備え、該光学情報読取手段は前記測距手段として機能することを特徴とする１〜４のいずれか一つに記載の情報端末装置。
【発明の詳細な説明】
【技術分野】
【０００１】
この発明は、所定の交信領域内に存在する外部情報記憶媒体に対して無線通信を行い、該無線通信によって送受信される所定の電波を介して、この外部情報記憶媒体に記憶された情報を読み取り、またはこの外部情報記憶媒体に情報を書き込む情報端末装置に関するものである。
【背景技術】
【０００２】
従来から、小型の集積回路とアンテナ手段とを組み合わせたＲＦＩＤ（Radio Frequency Identification）タグまたはカード状の樹脂製板にＲＦＩＤを埋没した非接触ＩＣカード等の外部情報記憶媒体と、該外部情報記憶媒体との間で無線交信を行うことによって、外部情報記憶媒体に記憶された情報を読み取るあるいは外部情報記憶媒体に所望の情報を書き込むＲＦＩＤ処理装置を備えたＰＤＡ（Personal Digital Assistant）または非接触ＩＣカードリーダライタなどの情報端末装置を用いたＲＦＩＤシステムが開発されている。
【０００３】
この外部情報記憶媒体は、情報端末装置に対して任意の位置に配置され、情報端末装置は、この任意の位置に存在する外部情報記憶媒体に対して読取処理または書込処理を行う。このため、情報端末装置が、出力が等しいまたは出力が徐々に大きくなる電波を外部情報記憶媒体に照射し、外部情報記憶媒体からの応答信号があるまで、外部情報記憶媒体の応答を監視するサイクルを継続して行うものがある（特許文献１参照）。また、情報端末装置から受信電力レベルの通知要求を外部情報記憶媒体に対して行い、外部情報記憶媒体から返信された受信電力レベルを知ることによって、この外部情報記憶媒体に対する送信電力レベルを調整するものがある（特許文献２参照）。
【０００４】
【特許文献１】特許第３２８８４７８号明細書
【特許文献２】特開２００３−００８４８１号公報
【発明の開示】
【発明が解決しようとする課題】
【０００５】
しかしながら、従来の情報端末装置では、電波の出力を試行錯誤で行っていたため、結局、適正な電波の出力設定を行うまでに時間がかかり、無駄な電力消費を余儀なくされるという問題点があった。
【０００６】
なお、外部情報記録媒体からの応答信号をもとに適正な電波の出力を設定する情報端末装置では、この応答信号を受信するまでに時間がかかり、無駄な電力消費を行うことになる。
【０００７】
この発明は、上記した従来技術の欠点に鑑みてなされたものであって、迅速かつ確実な読み書き処理を行うことができるとともに省電力化を促進することができる情報端末装置を提供することを目的とする。
【課題を解決するための手段】
【０００８】
上述した課題を解決し、目的を達成するために、請求項１にかかる情報端末装置は、所定の電波を介して外部情報記憶媒体に対する情報読取処理または情報書込処理を行う情報端末装置において、前記情報端末装置と前記外部情報記憶媒体との間の距離を測定する測距手段と、前記距離と前記所定の電波の出力の最適値とを関係付けた参照テーブルと、前記測距手段が測定した距離情報と前記参照テーブルの内容とをもとに前記所定の電波の出力の最適値を決定する制御を行う制御手段と、を備えたことを特徴とする。
【０００９】
請求項２にかかる情報端末装置は、上記の発明において、前記制御手段は、前記測距手段が測定した距離情報と前記参照テーブルの内容とをもとに決定した前記電波の出力の最適値を用いて行った前記外部情報記憶媒体に対する情報読取処理または情報書込処理に失敗した場合、前記電波の出力を補正することを特徴とする。
【００１０】
請求項３にかかる情報端末装置は、上記の発明において、前記所定の電波を送信するアンテナと前記測距手段とが搭載され、前記アンテナの通信方向と前記測距手段の測距方向とがほぼ同一方向に指向され、当該情報端末装置本体に対して回動可能な回動部を設けたことを特徴とする。
【００１１】
請求項４にかかる情報端末装置は、上記の発明において、前記制御手段は、前記情報読取処理または前記情報書込処理の開始指示が所定時間以内に再度行われた場合、前回の前記電波の出力と同じ出力で前記情報読取処理または前記情報書込処理を行うことを特徴とする。
【００１２】
請求項５にかかる情報端末装置は、上記の発明において光学情報記録媒体の情報を光学的に読み取る光学情報読取手段を備え、該光学情報読取手段は前記測距手段として機能することを特徴とする。
【発明の効果】
【００１３】
この発明によれば、制御手段が、前記測距手段が測定した距離情報と前記参照テーブルの内容とをもとに前記所定の電波の出力の最適値を決定する制御を行うようにしているので、任意の位置にある外部情報記憶媒体に対し、迅速かつ確実な読み書き処理を行うことができるとともに省電力化を促進することができるという効果を奏する。
【発明を実施するための最良の形態】
【００１４】
以下、添付図面を参照し、この発明にかかる情報端末装置の好適な実施の形態を詳細に説明する。なお、この実施の形態によって、この発明が限定されるものではない。
【００１５】
（実施の形態１）
図１は、この発明の実施の形態１である情報端末装置１０の構成を示す機能ブロック図である。図１において、この情報端末装置１０は、少なくとも外部情報記憶媒体Ｍとの間で、情報の読み取りあるいは書き込みを行うことができるものである。情報端末装置１０は、アンテナ１１ａを介して外部情報記憶媒体Ｍに対して情報の読み取りあるいは書き込みの処理を行うＲＦＩＤ処理部１１と、外部情報記憶媒体Ｍとの間の距離を測定する測距部１２と、記憶部１３と、測距部１２が測定した距離情報をもとに外部情報記憶媒体Ｍとの間で送受信される電波の出力を決定する制御を行う制御部１４と、表示部１５と、入力部１６と、外部通信部１７と、ストレージデバイス１８と、音声入出力部１９と、光学情報読取部９とを有する。
【００１６】
ＲＦＩＤ処理部１１は、制御部１４の制御のもと、アンテナ１１ａを介して外部情報記憶媒体Ｍに対して給電信号あるいは制御信号を送信するとともに、外部情報記憶媒体Ｍから送信された信号を受信し、外部情報記憶媒体Ｍに対する情報の読取処理および書込処理を行う。
【００１７】
ここで、情報の読取処理時に、ＲＦＩＤ処理部１１から外部情報記憶媒体Ｍに送信される制御信号は、読取指示情報であり、外部情報記憶媒体Ｍに記憶された情報をＲＦＩＤ処理部１１に対して送信するように指示するものである。外部情報記憶媒体Ｍは、所定の交信領域を持つアンテナＭａによってこの制御信号を含む給電信号を検知し、この給電信号から駆動電力を得るとともに、読取指示情報をもとに外部情報記憶媒体Ｍ内に記憶された情報を、アンテナＭａを介してＲＦＩＤ処理部１１に返信する。ＲＦＩＤ処理部１１は、外部情報記憶媒体Ｍから送信された無線信号を受信し、所定の処理を行うことにより、外部情報記憶媒体Ｍから送信された無線信号を受信し、外部情報記憶媒体Ｍから送られた情報を検出する。
【００１８】
また、情報の書込処理時にＲＦＩＤ処理部１１から外部情報記憶媒体Ｍに送信される制御信号は、たとえば入力部１６等から入力された書込情報や外部情報記憶媒体Ｍに対して書込情報の書き込みを指示する書込指示情報を含む。外部情報記憶媒体Ｍは、アンテナＭａによってこの制御信号を含む給電信号を検知し、この給電信号から駆動電力を得るとともに、書込指示情報をもとに外部情報記憶媒体Ｍ内に指示された書込情報を記憶する。
【００１９】
測距部１２は、可視光、赤外光、近赤外光等を出力する半導体レーザ素子や発光ダイオード等によって実現される図示しない発光素子と、この発光素子からの出射光が外部情報記憶媒体Ｍによって反射された反射光を受光するイメージセンサ、ＰＳＤ（Position Sensitive Detector）等によって実現される図示しない受光素子と、この受光素子が受光した反射光の位置情報または入射角度情報をもとに外部情報記憶媒体Ｍまでの距離を演算出力する所定の図示しない信号回路とを有する。測距部１２は、測定した距離情報を制御部１４に送出する。なお、測距部１２は、ＲＦＩＤ処理部１１が行う無線通信の最適方向に対して距離の測定を行うことが好ましい。
【００２０】
記憶部１３は、処理プログラム等の各種データが予め記憶されたＲＯＭと、各種処理の演算パラメータ、外部情報記憶媒体Ｍから読み取られた各種情報あるいは音声情報等を記憶するＲＡＭとを用いて実現される。記憶部１３は、制御部１４から入力された各種情報を記憶し、あるいは記憶した各種情報を制御部１４に送出する。また、記憶部１３は、参照テーブル１３ａを有する。なお、参照テーブル１３ａは、ストレージデバイス１８に挿入された記憶媒体から読み取られてもよい。
【００２１】
制御部１４は、出力調整部１４ａを有する。出力調整部１４ａは、測距部１２が測定した情報端末装置１０と外部情報記憶媒体Ｍの間の距離Ｌ１を、参照テーブル１３ａに照らし合わせ、測定した距離Ｌ１に対応する適正出力電圧で情報の読取処理または書込処理を行うようにしている。また制御部１４は、記憶部１３に記憶された処理プログラムを実行するＣＰＵなどによって実現され、ＲＦＩＤ処理部１１、測距部１２、記憶部１３、表示部１５、入力部１６、外部通信部１７、ストレージデバイス１８、音声入出力部１９の各処理または動作を制御する。
【００２２】
表示部１５は、たとえば、液晶表示装置、有機エレクトロルミネッセンス表示装置、発光ダイオード等を用いて実現され、少なくともＲＦＩＤ処理部１１による外部情報記憶媒体Ｍに対する読取処理の完了を表示出力する。また表示部１５は、情報端末装置１０の処理に関するエラーが発生した場合、このエラーを報知するエラー表示出力を行う。
【００２３】
入力部１６の操作キー１６ａは、外部情報記憶媒体Ｍに記憶された情報の読み取りを指示する読取指示情報や、外部情報記憶媒体Ｍに書き込みを行う書込情報および書き込みを指示する書込指示情報などを入力するための複数のキーを有する。トリガキー１６ｂは、単一または複数のキーを用いて実現され、ユーザによる処理の開始指示等を制御部１４に送出する。
【００２４】
外部通信部１７は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、図示しない外部のホストコンピュータ等に対する情報通信を行う。
【００２５】
ストレージデバイス１８は、外部から挿入されたスマートメディア、メモリスティック、マルチメディアカード、またはＳＤメモリカード等の記憶媒体を駆動させて、記憶媒体に記憶される情報を読み取る。さらに、ストレージデバイス１８は、制御部１４から入力された情報を記憶媒体に対して記憶するように機能してもよい。なお、記憶媒体は、ストレージデバイス１８に対して着脱可能である。
【００２６】
音声入出力部１９は、マイクロフォンおよびスピーカーなどを用いて実現される。音声入出力部１９は、外部からの音声情報を入力するとともに、入力した音声情報を制御部１４に送出する。また、音声入出力部１９は、制御部１４から入力された音声情報を外部に出力する。なお、音声入出力部１９は、各部による処理の開始または完了を報知する所定の報知音を出力し、または、情報端末装置１０の処理に関するエラーが発生した場合、このエラーを報知する所定のエラー音を出力する。この場合、音声入出力部１９は、上述した表示部１５によるエラー表示の出力に同期して、このエラー表示に対応するエラー音を出力する。
【００２７】
光学情報読取部９は、図示しない光学情報記録媒体に対し赤外光または可視光を発信する半導体レーザ素子または発光ダイオード等の光源と、この図示しない光学情報記録媒体からの反射光を受信するイメージセンサまたはフォトセンサ等の受光素子とを用いて実現される。光学情報読取部９は、この図示しない光学情報記録媒体からの反射光より、図示しない光学情報記録媒体の情報を読み取る。
【００２８】
図２は、情報端末装置１０を用い、外部情報記憶媒体Ｍに対して情報の読取処理または書込処理を行っている状態を示す図である。ユーザがトリガキー１６ｂによるＲＦＩＤ処理の処理開始入力操作を行うと、情報端末装置１０はこのＲＦＩＤ処理の動作を開始する。測距部１２は情報端末装置１０と外部情報記憶媒体Ｍとの間の距離Ｌ１を測定し、この距離Ｌ１をもとに制御部１４が適正出力を決定し、ＲＦＩＤ処理部１１は、この決定した出力で情報の読取処理または書込処理を行う。ここで、書込情報等の情報は、ユーザによる操作キー１６ａの操作によって入力される。
【００２９】
図３は、制御部１４の出力調整部１４ａによる出力制御処理手順を示すフローチャートである。出力調整部１４ａは、トリガキー１６ｂの操作による処理開始指示を受けたか否かを判断する（ステップＳ１０１）。処理開始指示でなかった場合（ステップＳ１０１，Ｎｏ）、処理開始指示を受けるまでステップＳ１０１の判断処理を繰り返す。
【００３０】
一方、処理開始指示を受けた場合（ステップＳ１０１，Ｙｅｓ）、さらに測距部１２に対して距離Ｌ１の測定を行わせ（ステップＳ１０２）、測距部１２から距離情報を受けたか否かを判定する（ステップＳ１０３）。距離情報を受けなかった場合（ステップＳ１０３，Ｎｏ）は、ステップＳ１０３の判断処理を繰り返し行い、距離情報を受けた場合（ステップＳ１０３，Ｙｅｓ）、記憶部１３の参照テーブル１３ａを参照し（ステップＳ１０４）、適正出力電圧を決定する（ステップＳ１０５）。図４は参照テーブル１３ａの一例である。参照テーブル１３ａは、情報端末装置１０と外部情報記憶媒体Ｍとの間の距離Ｌ１を測定して得た距離情報と、この距離情報に対応する適正出力電圧との関係を示す。ここで適正出力電圧とは、任意の外部情報記憶媒体Ｍに対する情報の読取処理または書込処理が実行可能であり、かつ必要最小限の出力電圧である。たとえば、測距部１２が、距離Ｌ１を測定して距離情報「３６ｃｍ」を得た場合、この距離情報「３６ｃｍ」は、参照テーブル１３ａでは距離「３０ｃｍ」以上かつ距離「４０ｃｍ」未満に相当する距離であるため、適正出力電圧は「Ｖ３」に決定する。
【００３１】
その後、制御部１４は、決定した適正出力電圧によって、外部情報記憶媒体Ｍに対する情報の読取処理または書込処理を指示し（ステップＳ１０６）、この指示を受けたＲＦＩＤ処理部１１は、外部情報記憶媒体Ｍに対し情報の読取処理または書込処理を行い、読取情報、処理成功通知、エラー発生通知等の情報を出力調整部１４ａに送出する。
【００３２】
出力調整部１４ａは、受信したこれらの情報をもとに、情報の読取処理または書込処理が成功したか否かを判断する（ステップＳ１０７）。情報の読取処理または書込処理が成功した場合（ステップＳ１０７，Ｙｅｓ）、この出力制御処理を終了し、情報の読取処理または書込処理が成功しなかった場合（ステップＳ１０７，Ｎｏ）には、現出力電圧の補正を行い（ステップＳ１０８）、ステップＳ１０６に移行して上述した情報の読取処理または書込処理を行う。
【００３３】
ここで、上述した出力電圧の補正が必要な場合とは、図５に示すように、外部情報記憶媒体Ｍが梱包材Ａによって覆われているような場合である。情報端末装置１０の測距部１２は、情報端末装置１０と梱包材Ａとの間の距離Ｌ２を測定し、この距離Ｌ２に対応する適正出力電圧を求めるが、この距離Ｌ２は、情報端末装置１０と外部情報記憶媒体Ｍとの間の距離に比して、距離Ｌ３分だけ短い距離である。したがって、距離Ｌ２から求めた出力電圧によって情報の読取処理または書込処理を実行した場合、出力電圧不足によってこれらの処理を失敗する場合が生じる。この場合、出力調整部１４ａは、適正出力電圧を増加する補正処理を行う。たとえば、図４の参照テーブル１３ａを用いて説明すると、適正出力電圧「Ｖ３」を用いた外部情報記憶媒体Ｍに対する情報の読取処理または書込処理が失敗した場合、出力調整部１４ａは、１ステップ適正出力電圧を増加する補正処理を行う。つまり、電圧「Ｖ３」から電圧「Ｖ４」へ、出力電圧を増加する。情報端末装置１０は、情報の読取処理または書込処理が成功するまで、この適正出力電圧を増加する補正処理を繰り返す。なお、参照テーブル１３ａの適正出力電圧は随時更新できるようにしてもよい。この更新は、補正処理が行われる毎にこの補正処理を履歴として保存し、この履歴をもとに更新処理を行えばよい。
【００３４】
なお、この発明の実施の形態１では、測距部１２は受光素子が受光した反射光の位置情報または入射角度情報をもとに測距を行っていたが、この発明はこれに限定されるものではなく、外部情報記憶媒体Ｍからの音波の戻り時間を検出して測距を行う超音波方式により測距を行うようにしてもよいし、外部情報記憶媒体Ｍの画像におけるピントのずれを検出する位相差検知方式、または外部情報記憶媒体Ｍの画像の鮮鋭度を検出する像鮮鋭度検出方式により測距を行うようにしてもよい。
【００３５】
また、測距部１２の代わりに、ＲＦＩＤ処理部１１が、ＲＦＩＤ処理用のアンテナであるアンテナ１１ａの他に、無線ＬＡＮ等に用いられるスペクトル拡散通信用の図示しないアンテナを備え、このアンテナから出力されるスペクトル拡散信号の測距機能を用いて、測距を行うようにしてもよい。さらに、光学情報読取部９が、その撮像機能を用いた位相差検出方式または像鮮鋭度検出方式によって、測距を行ってもよい。
【００３６】
また、参照テーブル１３ａの距離の領域区分の大きさは、図４に示した例に限定されず、さらに細かくまたは大きく領域区分してもよい。さらに、電波法等によって適正出力電圧の最大値を制限するものであってもよい。これらの参照テーブル１３ａは、ユーザが選択でき、さらには参照テーブル１３ａ自体をユーザがカスタマイズすることも可能である。また、参照テーブル１３ａの代わりに、距離を変数とする計算式を用いて適正出力電圧を決定してもよい。
【００３７】
さらに、出力電圧の補正処理を行う回数は、特に限定されない。また上述した出力電圧の補正処理では、出力電圧を１ステップずつ段階的に増加したが、これに限らず、２ステップ以上一度に増加してもよい。さらに、電圧「Ｖ０」から電圧「Ｖ５」に増加する、または電圧「Ｖ２」から電圧「Ｖ５」に増加するなど、１回目の出力電圧の補正処理で、直ちに、参照テーブル１３ａまたは情報端末装置１０の規格で定められた最大出力電圧値を設定するようにしてもよい。また、この補正処理は、操作キー１６ａ、トリガキー１６ｂ等の入力によって、増加する出力電圧をユーザの手動操作に委ねるようにしてもよい。
【００３８】
なお、図６に示すように、情報端末装置１０ａの筐体先端に、回動可能な駆動筐体Ｂを設けてもよい。駆動筐体Ｂは、その内部にＲＦＩＤ処理部１１と測距部１２とが配置され、回転軸Ｃを中心に回動する。この場合、ＲＦＩＤ処理部１１が有する所定の通信方向と測距部１２が測距を実行する方向とをほぼ同一方向に維持するように、ＲＦＩＤ処理部１１および測距部１２を駆動筐体Ｂ内に配置する。なお、ＲＦＩＤ処理部１１と測距部１２とを個別に回動できるように、駆動筐体Ｂに対応する駆動筐体を並列配置し、各駆動筐体が各別に回動できるようにしてもよい。
【００３９】
また、測距部１２の測距機能を停止できるようにしてもよい。これは、たとえば、所定の間隔で複数の外部情報記憶媒体Ｍが積み重ねられた場合であって、上部方向から情報の読取処理または書込処理を行う場合、測距部１２は積み重ねられた複数の外部情報記憶媒体Ｍのうち、一番上に積み重ねられた外部情報記憶媒体Ｍに対する距離を測定してしまうため、全ての外部情報記憶媒体Ｍに対する情報の読取処理または書込処理を行うことができないからである。このような場合に、測距部１２による測距機能を停止させ、所定の出力電圧で情報の読取処理または書込処理を行うようにする。
【００４０】
この実施の形態１では、測距部１２が情報端末装置１０と外部情報記憶媒体Ｍの間の距離Ｌ１を測定し、参照テーブル１３ａをもとに決定された距離Ｌ１に対応する適正出力電圧で情報の読取処理または書込処理を行うようにしているため、任意の位置にある外部情報記憶媒体Ｍに対する情報の読取処理または書込処理を確実に行うことができる。さらに、この実施の形態１では、距離Ｌ１に応じて必要最小限の適正出力電圧を決定するようにしているので、情報端末装置１０を省電力駆動することができる。また、外部情報記憶媒体が梱包されている場合等、測定された距離情報から適正な出力電圧を求めることができない場合であっても、出力電圧を補正しているので、情報の読取処理または書込処理を確実に行うことができる。
【００４１】
（実施の形態２）
つぎに、この発明の実施の形態２について説明する。上述した実施の形態１では、ＲＦＩＤ処理の実行毎に情報端末装置１０と外部情報記憶媒体Ｍとの間の距離Ｌ１を測定し、測定した距離情報に基づいて情報の読取処理または書込処理を行う適正出力電圧を決定したが、この実施の形態２では、複数回連続してＲＦＩＤ処理を実行する場合、初回のＲＦＩＤ処理のみ情報端末装置２０と外部情報記憶媒体Ｍとの間の距離を測定して適正出力電圧を決定し、２回目以降のＲＦＩＤ処理では、測距を行わず、初回のＲＦＩＤ処理で情報の読取処理または書込処理を行った出力電圧を用い、情報の読取処理または書込処理を行う。
【００４２】
図７は、この発明の実施の形態２である情報端末装置２０の構成を示す機能ブロック図である。図７に示す情報端末装置２０では、制御部１４に対応する制御部２４がさらに連続処理実行部２４ａを有する。その他の構成は実施の形態１と同じであり、同一構成部分には同一符号を付している。
【００４３】
図８は、制御部２４の連続処理実行部２４ａの連続処理制御手順を示すフローチャートである。連続処理実行部２４ａは、サブルーチンとして、実施の形態１で説明した図３の出力制御処理を実行する（ステップＳ２０１）。この出力制御処理では、外部情報記憶媒体Ｍまでの距離Ｌ１を測定し、その距離情報を参照テーブル１３ａに照らし合わせて適正出力電圧を決定し、外部情報記憶媒体Ｍに対する情報の読取処理または書込処理を行い、さらに決定した適正出力電圧を用いた外部情報記憶媒体Ｍに対する情報の読取処理または書込処理に失敗した場合、出力電圧の補正処理を行い、外部情報記憶媒体Ｍに対する情報の読取処理または書込処理を行う。つぎに、連続処理実行部２４ａは、連続処理出力電圧を設定し、この連続処理出力電圧の記憶を指示する（ステップＳ２０２）。ここで、連続処理出力電圧とは、ステップＳ２０１で、情報の読取処理または書込処理に用いた出力電圧である。
【００４４】
つぎに、連続処理実行部２４ａは、トリガキー１６ｂの入力によるユーザから処理開始指示を受けたか否かを判断し（ステップＳ２０３）、処理開始指示を受けなかった場合（ステップＳ２０３，Ｎｏ）、処理開始指示を受けるまでステップＳ２０３の判断処理を繰り返す。一方、処理開始指示を受けた場合（ステップＳ２０３，Ｙｅｓ）、連続処理実行部２４ａは、この処理開始指示が、直前のＲＦＩＤ処理の終了後所定時間Ｔ内に行われたか否かを判断する（ステップＳ２０４）。ここで所定時間Ｔとは、連続処理を行う場合、情報端末装置２０と外部情報記憶媒体Ｍとの間の距離Ｌ１に大きく変化があったか否かを判断する基準である。処理開始指示が所定時間Ｔ内に行われた場合（ステップＳ２０４，Ｙｅｓ）、距離Ｌ１に大きく変化がないとみなして距離Ｌ１の測定を行わず、ステップＳ２０２で記憶した連続処理出力電圧を読み出し（ステップＳ２０５）、この連続処理出力電圧を用いて外部情報記憶媒体Ｍに対する情報の読取処理または書込処理を指示し（ステップＳ２０６）、読取処理または書込処理が成功したか否かを判断する（ステップＳ２０７）。読取処理または書込処理が成功した場合（ステップＳ２０７，Ｙｅｓ）、ステップＳ２０３に移行して処理開始指示を受信したか否かを判断し、受信した場合（ステップＳ２０３，Ｙｅｓ）この処理開始指示が、直前のＲＦＩＤ処理の終了後所定時間Ｔ内に行われたか否かを判断し（ステップＳ２０４）、処理開始指示が所定時間Ｔ内に行われた場合（ステップＳ２０４，Ｙｅｓ）、距離Ｌ１に大きく変化がないとみなして距離Ｌ１の測定を行わず、上述した処理を繰り返す。
【００４５】
一方、処理開始指示が所定時間Ｔ内に行われなかった場合（ステップＳ２０４，Ｎｏ）、距離Ｌ１が大きく変化したとみなし、ステップＳ２０１に移行して実施の形態１で説明した出力制御処理を実行し、情報端末装置２０と外部情報記憶媒体Ｍとの間の距離Ｌ１を測定して適正出力電圧を決定し、情報の読取処理または書込処理を実行する。その後、連続処理出力電圧を設定し（ステップＳ２０２）、上述した処理を繰り返す。また、読取処理または書込処理が失敗した場合（ステップＳ２０７，Ｎｏ）、距離Ｌ１の変化以外に読取処理または書込処理が失敗する原因があるとみなし、補正処理を行うため、上述した、処理開始指示が所定時間Ｔ内に行われなかった場合（ステップＳ２０４，Ｎｏ）と同様に、ステップＳ２０１に移行して実施の形態１で説明した出力制御処理を実行する。
【００４６】
ここで、図９に示すタイムチャートをもとに、上述した連続処理制御について説明する。図９において、各時刻ｔ１〜ｔ８では、複数の外部情報記憶媒体Ｍに対する読取処理を実行する。時間Δｔ１〜Δｔ７は、隣接する各時刻ｔ１〜ｔ８の間の時間間隔である。また、連続処理で外部情報記憶媒体Ｍまでの距離Ｌ１が大きく変化したか否かを判断する基準である所定時間Ｔは、ユーザが設定する。この連続処理の初回の処理である時刻ｔ１の読取処理は、外部情報記憶媒体Ｍまでの距離Ｌ１を測定し、測定した距離情報に基づいて適正出力電圧Ｖ１を決定し、この適正出力電圧Ｖ１を出力電圧として用い読取処理を実行する。時間Δｔ１は、所定時間Ｔ内であるため、時刻ｔ２で行う読取処理では、距離Ｌ１の測定を行わず、時刻ｔ１の読取処理で用いた出力電圧Ｖ１を用い読取処理が実行される。その後の時間Δｔ２〜Δｔ４についても所定時間Ｔ内であるため、時刻ｔ３〜ｔ５で行う読取処理は、距離Ｌ１の測定を行わず、時刻ｔ１の読取処理で用いた出力電圧Ｖ１を用いて読取処理を実行する。
【００４７】
時間Δｔ５は所定時間Ｔ内ではないため、時刻ｔ６で行う読取処理は、再び外部情報記憶媒体Ｍまでの距離Ｌ１を測定し、測定した距離情報に基づいて新たに適正出力電圧Ｖ２を決定し、この適正出力電圧Ｖ２を出力電圧として用い読取処理を実行する。時間Δｔ６および時間Δｔ７は所定時間Ｔ内であるため、時刻ｔ７，ｔ８で行う読取処理では時刻ｔ６の読取処理で用いた出力電圧Ｖ２を用いて読取処理を実行する。なお、ここではユーザが所定時間Ｔを設定したが、これに限らず、時間間隔および出力電圧の履歴等に基づいて、連続処理実行部２４ａが所定時間Ｔを設定してもよい。
【００４８】
この実施の形態２では、複数回連続してＲＦＩＤ処理を実行する場合、初回のＲＦＩＤ処理のみ情報端末装置２０と外部情報記憶媒体Ｍとの間の距離を測定して適正出力電圧を決定し、２回目以降は、測距を行わず、初回のＲＦＩＤ処理で情報の読取処理または書込処理を行った出力電圧を用いてＲＦＩＤ処理を行うため、測距処理に費やされる電力と時間とを初回のＲＦＩＤ処理のみに軽減でき、省電力駆動と迅速なＲＦＩＤ処理とが可能である。
【図面の簡単な説明】
【００４９】
【図１】この発明の実施の形態１である情報端末装置の構成を示す機能ブロック図である。
【図２】この発明の実施の形態１である情報端末装置を用いて外部情報記憶媒体の情報の読取処理または書込処理を行う状態を示す図である。
【図３】図１に示した制御部の出力調整部の制御処理手順を示すフローチャートである。
【図４】図１に示した記憶部内の参照テーブルの内容を示す図である。
【図５】この発明の実施の形態１である情報端末装置が、外部情報記憶媒体を覆う梱包材までの距離を測定する状態を示す図である。
【図６】この発明の実施の形態１である情報端末装置の駆動筐体が、回動する状態を示す図である。
【図７】この発明の実施の形態２である情報端末装置の構成を示す機能ブロック図である。
【図８】図７に示した制御部の連続処理実行部の制御処理手順を示すフローチャートである。
【図９】この発明の実施の形態２である情報端末装置の連続処理の例を示す図である。
【符号の説明】
【００５０】
１０，１０ａ，２０  情報端末装置
１１    ＲＦＩＤ処理部
１１ａ，Ｍａ  アンテナ
１２    測距部
１３    記憶部
１３ａ  参照テーブル
１４，２４  制御部
１４ａ  出力調整部
１５    表示部
１６    入力部
１６ａ  操作キー
１６ｂ  トリガキー
１７    外部通信部
１８    ストレージデバイス
１９    音声入出力部
２４ａ  連続処理実行部
Ａ      梱包材
Ｂ      駆動筐体
Ｃ      回転軸
Ｌ１，Ｌ２，Ｌ３  距離
Ｍ      外部情報記憶媒体
Ｔ      所定時間
【図１】
2005328452.tif 000003
【図２】
2005328452.tif 000004
【図３】
2005328452.tif 000005
【図４】
2005328452.tif 000006
【図５】
2005328452.tif 000007
【図６】
2005328452.tif 000008
【図７】
2005328452.tif 000009
【図８】
2005328452.tif 000010
【図９】
2005328452.tif 000011